(57)【要約】【課題】用紙のサイズを正確に検知して、精度の高い画像調整処理を行う。【解決手段】画像形成装置は、用紙を収納する用紙収納部６０と、用紙収納部６０に収納された用紙の用紙サイズを決定する第１用紙検知部１９と、第１用紙検知部１９で決定された用紙サイズに基づいて用紙収納部６０から搬送路１３に用紙を給紙する給紙部２１と、搬送路１３に給紙された用紙に対して画像を形成する画像形成部１１と、搬送路１３の画像形成部１１の下流側に設けられ、搬送路１３の用紙を読み取って、用紙の用紙サイズを確定する第２用紙検知部２０と、第２用紙検知部２０で確定した用紙サイズに基づいて、用紙に対する画像形成の調整を行う画像調整処理部４０と、を備える。【選択図】図２
2020185670.tif 000002
【特許請求の範囲】
【請求項１】
用紙を収納する用紙収納部と、
前記用紙収納部に収納された用紙の用紙サイズを決定する第１用紙検知部と、
前記第１用紙検知部で決定された用紙サイズに基づいて前記用紙収納部から搬送路に用紙を給紙する給紙部と、
前記搬送路に給紙された用紙に対して画像を形成する画像形成部と、
前記搬送路の前記画像形成部の下流側に設けられ、前記搬送路の用紙を読み取って、前記用紙の用紙サイズを確定する第２用紙検知部と、
前記第２用紙検知部で確定した用紙サイズに基づいて、前記用紙に対する画像形成の調整を行う画像調整制御部と、を備えた、
画像形成装置。
【請求項２】
前記第２用紙検知部の読み取り領域は、少なくとも搬送される用紙の幅に所定領域を加えた範囲である
請求項１に記載の画像形成装置。
【請求項３】
前記第２用紙検知部の読み取り領域は、前記第１用紙検知部の読み取り領域よりも大きい
請求項１に記載の画像形成装置。
【請求項４】
前記第２用紙検知部の読み取り領域の所定領域は、ユーザーが任意で設定できる
請求項２に記載の画像形成装置。
【請求項５】
前記第２用紙検知部は、前記画像形成部により前記給紙部から給紙された用紙に形成された調整用画像を読み取って、前記用紙端部と調整用画像との距離値を算出し、
所定の理想距離値と比較することにより、画像調整に必要な画像調整値を算出する
請求項１〜４のいずれか一項に記載の画像形成装置。
【請求項６】
前記第２用紙検知部は、前記第１用紙検知部により決定された用紙サイズと、前記第２用紙検知部により確定した用紙サイズとの差分に基づいて、前記理想距離値を変更する
請求項５に記載の画像形成装置。
【請求項７】
前記第２用紙検知部は、前記画像形成部により前記給紙部から給紙された用紙に形成された調整用画像を読み取って、前記用紙端部と調整用画像との距離値を算出し、前記変更された理想距離値と比較することにより、画像調整に必要な画像調整値を算出する
請求項５に記載の画像形成装置。
【請求項８】
前記調整用画像を形成するか否かの指示を入力する操作部と、を備える
請求項５に記載の画像形成装置。
【請求項９】
前記第１用紙検知部は、前記用紙収納部の収納容積に基づいて、前記用紙の用紙サイズを決定する
請求項１に記載の画像形成装置。
【請求項１０】
前記第１用紙検知部は、ユーザーが指定した値に基づいて、前記用紙の用紙サイズを決定する
請求項１に記載の画像形成装置。
【請求項１１】
前記第２用紙検知部は、ラインセンサを用いて用紙の主副方向の長さを読み取って、前記用紙の用紙サイズを決定する
請求項１に記載の画像形成装置。
【請求項１２】
前記第２用紙検知部で決定した用紙サイズを記憶する記憶部を設け、前記記憶部には、前記用紙の表サイズと裏サイズをそれぞれ記憶させる
請求項１に記載の画像形成装置。
【請求項１３】
前記画像形成部の搬送路下流側に前記用紙の表サイズを決定するための用紙を収納するための用紙収納部を設けた
請求項１２に記載の画像形成装置。
【請求項１４】
画像形成装置が備える第１用紙検知部により、用紙収納部に収納された用紙の用紙サイズを決定するステップと、
画像形成装置が備える給紙部により、前記第１用紙検知部で決定された用紙サイズに基づいて前記用紙収納部から第１の用紙を搬送路に給紙するステップと、
画像形成装置が備える第２用紙検知部により、前記搬送路に給紙された前記第１の用紙を読み取って、前記用紙の用紙サイズを確定するステップと、
画像形成装置が備える画像調整処理部により、前記第２用紙検知部で確定した用紙サイズに基づいて、前記用紙に対する画像形成の調整を行うステップと、を含む
画像形成方法。
【請求項１５】
画像形成装置が備える第１用紙検知部により、用紙収納部に収納された用紙の用紙サイズを決定するステップと、
画像形成装置が備える給紙部により、前記第１用紙検知部で決定された用紙サイズに基づいて前記用紙収納部から第１の用紙を搬送路に給紙するステップと、
画像形成装置が備える第２用紙検知部により、前記搬送路に給紙された前記第１の用紙を読み取って、前記用紙の用紙サイズを確定するステップと、
前記給紙部により、前記第１の用紙に続いて第２の用紙を前記搬送路に給紙するステップと、
画像形成装置が備える画像形成部により、前記搬送路の第２の用紙に対して調整用画像を形成するステップと、
画像形成装置が備える画像調整処理部により、前記第２用紙検知部で確定した用紙サイズに基づいて、前記用紙端部と前記調整用画像との距離値を算出し、所定の距離理想値との比較を行って画像調整値を算出して、前記用紙に対する画像形成の調整を行うステップと、を含む
画像形成方法。
【請求項１６】
画像形成装置が備える第１用紙検知部により、用紙収納部に収納された用紙の用紙サイズを決定するステップと、
画像形成装置が備える給紙部により、前記第１用紙検知部で決定された用紙サイズに基づいて前記用紙収納部から用紙を搬送路に給紙するステップと、
画像形成装置が備える画像形成部により、前記搬送路の用紙に対して調整用画像を形成するステップと、
画像形成装置が備える第２用紙検知部により、前記搬送路に給紙された前記用紙を読み取って、前記用紙の用紙サイズを確定するステップと、
前記第１用紙検知部により決定した用紙サイズと前記第２用紙検知部により確定した用紙サイズとの差分を算出し、理想距離値を変更するステップと、
前記第１用紙検知部で確定した用紙サイズに基づいて、前記用紙端部と前記調整用画像との距離値を算出し、この距離値と前記変更した距離理想値との比較を行って画像調整値を算出して、前記用紙に対する画像形成の調整を行うステップと、を含む
画像形成方法。
【請求項１７】
前記画像形成装置が備える第２用紙検知部は、画像形成装置で実行するプリントジョブに含まれる用紙の種類の種類毎に、前記搬送路に給紙された前記用紙を読み取って、前記用紙の用紙サイズを確定する処理を行うステップと、を含む
請求項１５または１６に記載の画像形成方法。
【請求項１８】
前記画像形成装置が備える第２用紙検知部は、プリントジョブに使用される用紙が、画像調整処理が実施されていない状態で用紙収納部にセットされた用紙であると判定された場合には、前記搬送路に給紙された前記用紙を読み取って、前記用紙の用紙サイズを確定する処理を行うステップと、を含む
請求項１６または１７に記載の画像形成方法。
【請求項１９】
画像形成装置が備える第１用紙検知部により、用紙収納部に収納された用紙の用紙サイズを決定するステップと、
画像形成装置が備える給紙部により、前記第１用紙検知部で決定された用紙サイズに基づいて前記用紙収納部から第１の用紙を搬送路に給紙するステップと、
画像形成装置が備える第２用紙検知部により、前記搬送路に給紙された前記第１の用紙を読み取って、前記用紙の用紙サイズを確定するステップと、
画像形成装置が備える画像調整処理部により、前記第２用紙検知部で確定した用紙サイズに基づいて、前記用紙に対する画像形成の調整を行うステップと、を、
コンピュータに実行させるためのプログラム。
【発明の詳細な説明】
【技術分野】
【０００１】
本発明は、記録媒体を画像読取部で読み取った読取結果に基づいて、画像調整処理を行う画像形成装置、画像形成方法およびプログラムに関する。
【背景技術】
【０００２】
従来、給紙トレイのセンサで読み取った用紙サイズまたはユーザーが設定した用紙サイズに基づいて、画像読取装置で読み取った用紙の隅に形成された調整用画像（トンボ画像）と用紙端との距離を算出し、用紙の表裏位置の調整、画像形成位置の調整、色調整などの画像調整処理を行うことが知られている（例えば、特許文献１）。
【先行技術文献】
【特許文献】
【０００３】
【特許文献１】特開２０１８−１１８３９３号公報
【発明の概要】
【発明が解決しようとする課題】
【０００４】
しかしながら、給紙トレイのセンサで読み取った用紙サイズまたはユーザーが設定した用紙サイズが、実際の用紙サイズよりも大きい場合には、用紙端とトンボ画像との距離が大きく算出されてしまい、その結果として、画像が小さすぎると判断され、画像を大きくするという誤った画像調整処理が行われてしまう。
【０００５】
また、給紙トレイのセンサで読み取った用紙サイズまたはユーザーが設定した用紙サイズが、実際の用紙サイズよりも小さい場合には、用紙端とトンボ画像との距離が小さく算出されてしまい、その結果として、画像が大きすぎると判断され、画像を小さくするという誤った画像調整処理が行われてしまう。
【０００６】
本発明は、上記の従来技術における問題に鑑みてなされたものであって、用紙のサイズを正確に検知して、精度の高い画像調整処理を実施することを課題とする。
【課題を解決するための手段】
【０００７】
上記課題を解決し、本発明の課題を解決するため、本発明の画像形成装置は、用紙を収納する用紙収納部と、用紙収納部に収納された用紙の用紙サイズを決定する第１用紙検知部と、第１用紙検知部で決定された用紙サイズに基づいて用紙収納部から搬送路に用紙を給紙する給紙部と、搬送路に給紙された用紙に対して画像を形成する画像形成部と、搬送路の画像形成部の下流側に設けられ、搬送路の用紙を読み取って、用紙の用紙サイズを確定する第２用紙検知部と、第２用紙検知部で確定した用紙サイズに基づいて、用紙に対する画像形成の調整を行う画像調整処理部と、を備える。
【０００８】
なお、上記の画像形成装置は本発明の一態様であり、本発明の一側面を反映した画像形成方法およびプログラムについても、本発明の一側面を反映した画像形成装置と同様である。
【発明の効果】
【０００９】
本発明によれば、用紙のサイズを正確に検知することで、精度の高い画像調整処理を実施することができる。
【図面の簡単な説明】
【００１０】
【図１】本発明の実施形態例に係る画像形成装置の機械的構成を示す図である。
【図２】本発明の実施形態例に係る画像形成装置の電気的構成を示すブロック図である。
【図３】本発明の実施形態例の説明で使用する調整用画像が形成された用紙の全体図である。
【図４】本発明の実施形態例の説明で使用する調整用画像が形成された用紙の全体図である。
【図５】本発明の実施形態例の説明で使用する調整用画像が形成された用紙の全体図である。
【図６】本発明の実施形態例の説明で使用する画像読取装置の読み取り領域と用紙との位置関係を示す図である。
【図７】本発明の実施形態例に係る画像読取部で読み取った結果に基づいて、画像調整処理を行う際のフローチャートである。
【図８】本発明の実施形態例に係る画像読取部で読み取った結果に基づいて、画像調整処理を行う際のフローチャートである。
【図９】本発明の実施形態例に係る画像読取部で読み取った結果に基づいて、画像調整処理を行う際のフローチャートである。
【図１０】本発明の実施形態例に係る画像形成装置でプリント処理を実施する際のフローチャートである。
【図１１】本発明の実施形態例に係る画像形成装置でプリント処理を実施する際のフローチャートである。
【発明を実施するための形態】
【００１１】
以下、本発明の実施の形態例（以下、「本例」という。）について、図面を参照して説明する。なお、本明細書及び図面において、実質的に同一の機能又は構成を有する構成要素については、同一の符号を付することにより重複する説明を省略する。
【００１２】
図１は、本例の画像形成装置１の機械的構成を示す図である。
図１に示すように、画像形成装置１は、用紙の搬送方向の上流側から順に、給紙装置６０、装置本体１０、後処理装置５０が、機械的、電気的に接続された構成を有している。各装置間は用紙の搬送および通信が可能となっている。
【００１３】
用紙収納部である給紙装置６０は大量の用紙を収納する大容量給紙トレイ（図示せず）を備えており、給紙部としての給紙ローラ２１を介して、トレイの用紙を装置本体１０の搬送路１３へ供給する。なお、用紙は紙に限定されず、他の材質からなる記録媒体を用いることも可能であり、例えば、布やプラスチックからなる記録媒体を用いてもよい。
また、給紙装置６０には、トレイから給紙される用紙のサイズを検知する第１用紙検知部としての検知センサ１９が設けられている。
【００１４】
装置本体１０は、筺体内に搬送路１３を有しており、搬送路１３は上流側で給紙装置６０に接続され、下流側で後処理装置５０に接続されている。搬送路１３の中途には画像形成部１１を有している。装置本体１０の筺体の下方部には、用紙収納部である複数の給紙トレイからなる本体給紙部１２が設けられており、収納されている用紙を搬送路１３に給紙する。通常、本体給紙部１２の給紙トレイには、種類の異なる用紙がトレイ毎に収納されている。
【００１５】
搬送路１３は、給紙装置６０または本体給紙部１２から供給された用紙を搬送し、画像形成部１１において用紙に画像を印刷する。画像形成部１１は、ＬＤ、帯電器、各色用の感光体、現像器、中間転写ベルト、二次転写部、定着器などを有しており、電子写真方式によって画像を形成する。
すなわち、画像形成部１１は、例えば、各色（シアン（Ｃ）、マゼンタ（Ｍ）、イエロー（Ｙ）、ブラック（Ｋ））用など、それぞれ各色用の感光体を有しており、各感光体の周囲に、図示しない、帯電器、ＬＤ、現像器を有している。さらに、画像形成部１１は、中間転写ベルト、二次転写部、定着器を有している。中間転写ベルトは、各感光体上の画像が転写されるものであり、二次転写部は、中間転写ベルトの画像を用紙に転写する。定着器１６は、二次転写部の下流側の搬送経路１３に配置されており、用紙に対して熱や圧力を加え、用紙上の画像を定着させる。
なお、本実施形態ではカラー印刷機を前提としているが、本発明としてはこれに限定されるものではなく、モノクロなど単色のみで印刷可能な画像形成装置であってもよい。
【００１６】
搬送路１３は、画像形成部１１よりも下流側で反転搬送路１３ａが分岐している。反転搬送路１３ａの途中では反転部１３ｂが設けられており、反転搬送路１３ａの下流側は画像形成部１１よりも上流側の位置で搬送路１３に合流している。
搬送路１３では、搬送路１３を搬送される用紙の上面に対して、画像形成部１１において画像を形成することが可能である。用紙の裏面に画像を形成する場合は、画像形成後の用紙を反転搬送路１３ａに送り、反転部１３ｂで用紙の先後を入れ替えて用紙を表裏を反転した状態で反転搬送路１３ａの下流側に戻し、その後、画像形成部１１よりも上流側の搬送路１３に環流して、用紙の裏面に画像形成を行う。
【００１７】
また、装置本体１０は、筐体の上部に操作部１４０を有している。操作部１４０では情報の表示や操作入力が可能になっており、表示部と操作部とを有している。なお、タッチパネルを供えたＬＣＤなどを用いて表示部と操作部とを一体としてもよい。
また、筐体上部には、流し込みｔｙｐｅ自動原稿給送装置（ＡＤＦ）１４を備えている。流し込みｔｙｐｅ自動原稿給送装置（ＡＤＦ）１４では、セットされた原稿を自動で給送し、スキャナー１７で読み取りを行うものである。なお、原稿の読み取りはプラテンガラス１８上で行うこともできる。
装置本体１０には、画像形成装置１全体を制御する制御部１００を有している。制御部１００は、ＣＰＵとＣＰＵ上で動作するプログラム、記憶部などによって構成されている。制御部１００のハードウェアは、本発明のプログラムが実行されるコンピュータに相当する。
【００１８】
また、装置本体１０は、画像読取部２０を有している。
第２用紙検知部としての画像読取部２０は、搬送路１３の画像形成部１１及び定着器１６の下流側であって、搬送経路１３に対向するように設けられている。画像読取部２０は、ＣＣＤセンサやＣＭＯＳセンサなどによって構成されており、用紙上の画像を光学的に読み取る。なお、本例の画像読取部２０は、用紙の全面をワンラインで読みとるＣＣＤラインセンサで構成されている。本例のＣＣＤラインセンサのＣＤ方向の長さは、搬送される用紙の幅に所定の領域を加えた大きさで構成されている。すなわち、本例の画像読取部２０の読み取り領域は、少なくとも搬送される用紙の幅に所定領域を加えた範囲である。なお、この所定領域の範囲は、操作部１４０を介して、ユーザーにより任意の範囲に設定することができる。また、画像読取部２０の読み取り領域は、第１用紙検知部である検知センサ１９の読み取り領域よりも大きくなるように設定されている。
【００１９】
用紙を読み取った読み取り結果は、制御部１００に送信される。制御部１００では、画像読取部２０で読み取った読み取り結果に基づいて画像調整処理が必要か否かを判定し、必要に応じて、画像調整制御部４０に画像調整処理を実施させる。
【００２０】
後処理装置５０は、後処理が行われた用紙の排紙先として排紙トレイ５１と、排紙トレイ５２とを有している。後処理装置５０は、ステープル、パンチ、中綴じなどの所定の処理を行うように構成されており、複数の後処理を行うものであってもよい。
後処理装置５０の上部には、定着器１６よりも下流側であって画像読取部２０よりも上流側の搬送路１３に用紙を供給することができるＰＩトレイ３０が設けられている。ＰＩトレイ３０は、主に画像読取部２０により用紙の表サイズを検出する際に使用する調整用紙を給紙する。
【００２１】
また、装置本体１０には、ＰＣなどの外部機器４が接続されている。外部機器４はネットワーク３との接続によって画像形成装置１と通信可能になっており、ジョブデータの送信や、画像形成装置１の制御を行うことが可能である。外部機器４には、ネットワーク３に接続される図示しない通信部を有している。なお、外部機器４と画像形成装置１との間におけるネットワークは、無線やＷＡＮなどによって構成されるものであってもよく、特定のものに限定されない。
【００２２】
なお、本実施形態の画像形成装置１は、給紙部６０、装置本体１０および後処理装置５０によって構成されているものとしているが、本発明としては、装置本体１０に接続される装置の数や種類はこれに限定されるものではない。例えば、後処理装置を備えないものであってもよく、排紙装置を備えるものであってもよい。
【００２３】
次に、画像形成装置１の機能的構成について、図２のブロック図に基づいて説明する。
図２は、本例の画像形成装置１の電気的構成を示すブロック図である。
画像形成装置１は、制御部１００としての本体制御部と、スキャナー部１３０と、操作部１４０と、プリンター部１５０と、プリントコントローラ１６０とを有している。
プリントコントローラ１６０は、ネットワーク３を通して端末ＰＣとして使用される外部機器４から入力される画像データを受信して処理し、またはスキャナー部１３０で得た画像データを、ネットワーク３を通して外部機器４などに転送可能にする。
【００２４】
本体制御部１００では、プリントコントローラ１６０に接続されたＰＣＩバス１１２を有しており、ＰＣＩバス１１２にはＤＲＡＭ制御ＩＣ１１１が接続されている。ＤＲＡＭ制御ＩＣ１１１には、画像メモリ（ＤＲＡＭ）１２０が接続されている。画像メモリ（ＤＲＡＭ）１２０は、圧縮画像データを格納するための圧縮メモリ１２１と、画像形成前にプリント対象の非圧縮画像（出力画像）データを一時的に格納するための伸長メモリ１２２とを有している。
【００２５】
また、ＤＲＡＭ制御ＩＣ１１１には、ハードディスク（ＨＤＤ）部１２３が接続されており、該ハードディスク（ＨＤＤ）部１２３には、スキャナー部１３０で取得した画像データやプリントコントローラ１６０において所得した画像データ等を保存する。
上記プリントコントローラ１６０で取得される画像データやハードディスク（ＨＤＤ）部１２３に格納された画像データは、プリント動作に伴ってＰＣＩバス１１２を通してＤＲＡＭ制御ＩＣ１１１に送信される。
【００２６】
本体制御部１００は、制御ＣＰＵ１１３を備えており、制御ＣＰＵ１１３にＤＲＡＭ制御ＩＣ１１１が接続されている。
また、制御ＣＰＵ１１３には、プログラムメモリ（ＲＯＭ）１１４と、システムメモリ（ＲＡＭ）１１６と、不揮発メモリ１１５と、が接続されている。プログラムメモリ（ＲＯＭ）１１４は、ＲＯＭで構成され、制御ＣＰＵ１１３を動作させるためのプログラム等が格納されている。システムメモリ（ＲＡＭ）１１６は、ＲＡＭで構成され、ワークエリアなどとして使用される。不揮発メモリ１１５はフラッシュメモリなどにより構成される。
【００２７】
不揮発メモリ１１５には、装置本体１０の初期設定情報や、プロセス制御パラメータ等の機械設定情報、後処理設定、用紙サイズ情報データ、トレイ設定情報、画像読取部２０の読み取り結果に基づく画像調整処理が必要か否かを判定する判定方法、排紙先の切り替え条件などの設定情報が格納されている。
制御ＣＰＵ１１３は、不揮発メモリ１１５の不揮発データを読み取り可能であり、また、所望のデータを不揮発メモリ１１５に書き込むことが可能である。
【００２８】
制御ＣＰＵ１１３は、プログラムメモリ（ＲＯＭ）１１４に格納されたプログラムにより所定の動作が実行され、上記機械設定情報や印刷設定情報、出力設定などに従って、給紙装置６０、装置本体１０、画像読取部２０、後処理装置５０の各部を動作制御する。制御ＣＰＵ１１３におけるプログラムには、本発明のプログラムを含んでいる。なお、プログラムは、移動可能な記憶部に格納されて流通するものであってもよい。
【００２９】
制御ＣＰＵ１１３は、プログラムメモリ（ＲＯＭ）１１４、システムメモリ（ＲＡＭ）１１６、不揮発メモリ１１５などとともに本発明の制御部１００を構成し、ジョブの実行、画像調整処理が必要か否かを判定する判定方法、排紙先の切り替え、目印用紙の出力制御、ジョブの停止などを制御することができる。また、プリントジョブに使用される用紙が、給紙トレイにセットした用紙の中で初めて使用される用紙であるか否かを判定することができる。
制御ＣＰＵ１１３は、操作部１４０や外部機器４の外部操作部を通じて入力されたジョブの出力設定や操作指定などに基づいて各部を制御するようにしてもよい。
【００３０】
スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１３とシリアル通信可能に接続されている。また、ＣＣＤ１３１は読み取り処理部１１７に接続され、読み取り処理部１１７は、ＤＲＡＭ制御ＩＣ１１１に制御可能に接続されている。
【００３１】
読み取り処理部１１７では、ＣＣＤ１３１で読み取った画像データの処理が行われる。読み取り処理部１１７は、ＣＣＤ１３１から入力されたアナログ画像信号に、アナログ信号処理、Ａ／Ｄ（Ａｎａｌｏｇ  ｔｏ  Ｄｉｇｉｔａｌ）変換処理、シェーディング処理等の各種処理を施し、デジタル画像データを生成して、圧縮・伸長ＩＣ１２５に出力する。
また、制御ＣＰＵ１１３には、ＡＤＦ制御部１３５が制御可能に接続されており、ＡＤＦ制御部１３５によって流し込みｔｙｐｅ自動原稿給送装置（ＡＤＦ）１４が制御される。
スキャナー部１３０では、装置本体１０の上部プラテンガラス１８に置かれた原稿や、流し込みｔｙｐｅ自動原稿給送装置（ＡＤＦ）１４で自動搬送される原稿の画像を読み取る。
また、本例の読み取り処理部１１７は、画像読取部２０で読み取った画像データの処理も行う。
【００３２】
操作部１４０は、タッチパネルを有するＬＣＤ１４１と、操作部全体を制御する操作部制御部１４２とを備えており、操作部と表示部とを兼ねている。操作部制御部１４２は制御ＣＰＵ１１３にシリアル通信可能に接続されている。
【００３３】
操作部１４０では、制御ＣＰＵ１１３による制御に基づいて、ＬＣＤ１４１を通じて、装置本体１０の出力条件設定や動作制御条件などの機械設定入力、各給紙トレイの用紙情報（サイズ、紙種）の設定入力、調整用画像を形成するか否かの設定、後処理設定などが可能になっている。
【００３４】
ＤＲＡＭ制御ＩＣ１１１には、画像データを圧縮または伸長することができる圧縮・伸長ＩＣ１２５が接続されている。ＤＲＡＭ制御ＩＣ１１１は、制御ＣＰＵ１１３からの指示に従って、圧縮・伸長ＩＣ１２５による画像データの圧縮処理及び圧縮画像データの伸長処理を制御するとともに、画像メモリ（ＤＲＡＭ）１２０への画像データの入出力制御を行う。
【００３５】
また、ＤＲＡＭＩＣ１１１には、書き込み処理部１２６が接続されている。書き込み処理部１２６は、プリンター部１５０のＬＤ１５１ａなどを備える画像形成部１１に接続されており、画像データに基づいてＬＤ１５１ａの動作に用いられる書き込みデータを生成する。なお、画像データには、画像調整処理が必要か否かを判定するために使用される調整用画像（トンボ画像）のデータも含まれる。
【００３６】
プリンター部１５０は、プリンター制御部１５２を備えており、プリンター制御部１５２は制御ＣＰＵ１１３にシリアル通信可能に接続されている。プリンター制御部１５２は制御ＣＰＵ１１３の制御指令に従って動作して、プリンター部１５０の全体（給紙トレイの切り換え、画像形成、用紙の搬送、排紙先の切り替え、後処理など）を制御し、用紙搬送、画像形成などを行う。また、プリンター制御部１５２は、各給紙トレイから給紙される用紙のサイズを検知する検知センサ１９を制御する。さらには、圧縮・伸長ＩＣ１２５に圧縮画像データの伸長を指示することもできる。
【００３７】
本例のプリンター制御部１５２には、画像調整制御部４０が制御可能に接続されている。画像調整制御部４０は、画像読取部２０で読み取った用紙のサイズに基づいて、用紙端と調整用画像（トンボ）との距離を算出し、不揮発メモリ１１５に保存されている所定の距離理想値との比較を行い、画像調整処理に必要な画像調整値を算出して、必要な画像調整処理を実施する。ここで、距離理想値とは、用紙のサイズに応じて決められている、用紙に画像が正確に形成される状態における用紙端とトンボとの理想距離をいう。
【００３８】
また、画像調整制御部４０は、第１用紙検知部１９で検出した用紙のサイズと、画像読取部２０で読み取った用紙のサイズとの差分を算出し、不揮発メモリ１１５に保存されている距離理想値を更新する。さらに、更新した距離理想値と、第１用紙検知部１９で検出した用紙のサイズとの比較を行い、画像調整処理に必要な画像調整値を算出して、必要な画像調整処理を実施する。
【００３９】
プリンター制御部１５２には、後処理装置５０のＦＮＳ制御部５００が制御可能に接続されている。プリンター制御部１５２は、制御ＣＰＵ１１３の指令に基づいてＦＮＳ制御部５００に後処理指示を行うことができ、また、ＦＮＳ制御部５００から後処理装置５０における状態情報を取得することができる。ＦＮＳ制御部５００は、後処理装置５０全体の制御を行うことができ、後処理装置内の搬送経路の切り替えや後処理部５４における後処理の制御を行う。ＦＮＳ制御部５００は、ＣＰＵやこれを動作させるプログラムなどによって構成することができる。
【００４０】
また、ＰＣＩバス１１２には、プリントコントローラ１６０のＤＲＡＭ制御ＩＣ１６１が接続されている。プリントコントローラ１６０は、装置本体１０をネットワークプリンタやネットワークスキャナとして使用する場合に、ネットワーク３に接続される外部機器４などから画像データ等を装置本体１０で受信したり、スキャナー部１３０で取得した画像データをネットワーク３に接続される外部機器４などに送信したりする。
【００４１】
プリントコントローラ１６０では、ＤＲＡＭ制御ＩＣ１６１に、ＤＲＡＭなどで構成される画像メモリ１６２が接続されている。また、プリントコントローラ１６０では、共通バスにＤＲＡＭ制御ＩＣ１６１と、プリントコントローラ１６０全体の制御を行うコントローラ制御ＣＰＵ１６３と、ＬＡＮインターフェース１６５が接続されている。ＬＡＮインターフェース１６５は、ネットワーク３に接続されている。
【００４２】
また、制御ＣＰＵ１１３には、ＩＯ１２８が接続されている。ＩＯ１２８では、画像形成装置１内外の各種センサなどとの信号が可能になっており、例えば画像読取部２０に対する制御信号の送信や、画像読取部２０からの画像読取り結果を取得することができる。
【００４３】
画像形成装置１に接続される外部機器４は、外部機器４全体を制御する外部制御部４００と、操作画面４１０と、外部操作部４２０とを備えている。外部制御部４００は、ＣＰＵとＣＰＵ上で動作するプログラムとを有している。外部機器４は、画像形成装置１を制御するものであってもよく、その場合、外部制御部４００は本発明の制御部として機能し、外部制御部４００におけるハードウェアは、本発明のプログラムが実行されるコンピュータに相当する。
また、操作画面４１０、外部操作部４２０は、操作部と表示部とがタッチパネル付きのＬＣＤなどによって一体に構成されるものであってもよい。
【００４４】
次に、上記画像形成装置１の基本的動作について説明する。
まず、画像形成装置１において画像データを蓄積する手順について説明する。
第１に画像形成装置１において、スキャナー部１３０で画像を読み取り画像データを生成する場合について説明する。まず、スキャナー部１３０において原稿からＣＣＤ１３１により画像を光学的に読み取る。この際には、制御ＣＰＵ１１３がスキャナー部制御部１３２に指令を出し、スキャナー部制御部１３２によってＣＣＤ１３１の動作制御を行う。原稿の読み取りは、流し込みｔｙｐｅ自動原稿給送装置（ＡＤＦ）１４によって原稿を給送しつつ行ってもよく、また、プラテンガラス上に原稿を置いて行ってもよい。制御ＣＰＵ１１３はプログラムによって動作し、操作部１４０による操作に基づいてスキャナー部１３０への指令を発行する。
【００４５】
ＣＣＤ１３１で読み取られた画像は、読み取り処理部１１７でデータ処理がなされ、データ処理された画像データは、ＤＲＡＭ制御ＩＣ１１１を介して圧縮・伸長ＩＣ１２５に送られて所定の方法によって圧縮される。圧縮されたデータは、ＤＲＡＭ制御ＩＣ１１１を介して圧縮メモリ１２１に格納される。また、ＨＤＤ１２３に格納する場合は、圧縮メモリ１２１に一旦格納したデータを、ＤＲＡＭ制御ＩＣ１１１を介してＨＤＤ１２３に送る。なお、本例では、画像読取装置２０で読み取られた画像についても、同様の手順で処理される。
【００４６】
この他に、画像データは、ネットワーク３を介して画像形成装置１に入力することができる。上記画像データとしては、例えば外部機器４などのアプリケーションプログラム等により生成されたものや他の画像形成装置により生成されたものが挙げられる。該データは、ネットワーク３、ＬＡＮインターフェース１６５を介してプリントコントローラ１６０で受信され、ＤＲＡＭ制御ＩＣ１６１によって画像メモリ１６２に一旦格納される。上記画像メモリ１６２に格納されたデータは、ＰＣＩバス１１２を介してＤＲＡＭ制御ＩＣ１１１に転送され、伸長メモリ１２２に一旦格納される。伸長メモリ１２２に格納されたデータは、ＤＲＡＭ制御ＩＣ１１１を介して圧縮・伸長ＩＣ１２５に送られて圧縮処理され、ＤＲＡＭ制御ＩＣ１１１を介して圧縮メモリ１２１に格納される。ＨＤＤ１２３に格納する場合は、圧縮メモリ１２１に一旦格納したデータを、ＤＲＡＭ制御ＩＣ１１１を介してＨＤＤ１２３に送る。
【００４７】
次に、画像形成装置１で画像出力を行う場合、ＨＤＤ１２３に格納されたデータを、ＤＲＡＭ制御ＩＣ１１１を介して圧縮メモリ１２１に一旦格納する。圧縮メモリ１２１に格納されたデータは、ＤＲＡＭ制御ＩＣ１１１を介して圧縮・伸張ＩＣ１２５に送出してデータを伸張する。伸張したデータはＤＲＡＭ制御ＩＣ１１１を介して書き込み処理部１２６に送出して書き込みデータを生成し、ＬＤ部１５１ａにおいて感光体への書き込みを行う。
【００４８】
プリンター部１５０では、画像制御ＣＰＵ１１１の指令を受けたプリンター制御部１５２によって本体給紙部１２、給紙装置６０、搬送路１３などの各部の制御が行われる。プリンター部１５０において、画像形成、用紙への転写、定着、搬送路による後処理装置５０への搬送、後処理装置５０での後処理などが順次行われて印刷出力が行われる。
【００４９】
また、装置本体１０では、画像読取部２０で読み取った画像読取り結果を、ＩＯ１２８を通して制御ＣＰＵ１１３で取得することができる。本例の制御部１００では、画像読取部２０で読み取った調整用の用紙に形成された調整用画像（トンボ画像）の画像読取り結果から、用紙の画像調整処理が必要か否かを判定し、必要に応じて、画像調整制御部４０に画像調整処理を実施させる。
【００５０】
つぎに、画像読取部２０で読み取ったトンボ画像の読み取り結果に基づいて、画像調整処理を行う場合について説明する。
【００５１】
図３は、調整用画像のトンボ画像が形成された用紙の全体図である。
本例で使用する用紙Ｓのサイズは、用紙の縦方向（ＦＤ方向）の大きさが２９７．０ｍｍ、用紙の横方向（ＣＤ方向）の大きさが２１０．００ｍｍである。
【００５２】
図３Ａに示すように、用紙Ｓの４隅には、調整用画像としてのトンボ画像２５が形成されている。例えば、右上隅のトンボ画像２５ａは、ＦＤ方向の用紙先端エッジから３．０ｍｍ、ＣＤ方向の用紙先端エッジＲから３．０ｍｍ離れた位置に形成されている。また、右下隅のトンボ画像２５ｂは、ＦＤ方向の用紙後端エッジから３．０ｍｍ、ＣＤ方向の用紙先端エッジから３．０ｍｍ離れた位置に形成されている。左上隅のトンボ画像２５ｃは、ＦＤ方向の用紙先端エッジから３．０ｍｍ、ＣＤ方向の用紙後端エッジから３．０ｍｍ離れた位置に形成されている。左下隅のトンボ画像２５ｄは、ＦＤ方向の用紙後端エッジから３．０ｍｍ、ＣＤ方向の用紙後端エッジから３．０ｍｍ離れた位置に形成されている。
【００５３】
以下の説明では、右上隅のトンボ画像２５ａを用いて説明する。
このときのＣＤ方向の用紙先端エッジＲからトンボ画像２５までの距離理想値Ｄは、３．０ｍｍである。
【００５４】
図３Ｂは、第１用紙検知部である給紙装置６０の検知センサ１９が、誤って用紙のＣＤ方向のサイズを２１２．０ｍｍと検知した場合の説明図である。なお、誤って検知した用紙サイズ（読み取り領域）を網掛けで示している。
このように、実際には、用紙のサイズを実際のサイズよりも大きく検知してしまう場合が起こりうる。なお、ユーザーが、操作部１４０を介して、用紙サイズを２１２．０ｍｍと誤って入力した場合も同様である。
【００５５】
この場合、画像読取部２０で読み取ったトンボ画像２５ａと、誤って検知されたＣＤ方向の用紙先端エッジＲ１との距離値Ｄ１は、５．０ｍｍとなる。このように、用紙のサイズが実際のサイズよりも大きく検知された場合は、画像読取部２０の読み取り結果として、ＣＤ方向の用紙先端エッジＲ１からトンボ画像２５までの距離値Ｄ１が距離理想値Ｄよりも大きくなる。この結果、制御部１００は、用紙に形成される画像が小さすぎると判定し、画像を大きくする方向へ倍率調整を行うよう画像調整制御部４０に誤った指令を出してしまうおそれがある。
【００５６】
図４は、調整用画像のトンボ画像が形成された用紙の全体図である。
本例で使用する用紙のサイズは、用紙のＦＤ方向の大きさが２９７．０ｍｍ、用紙のＣＤ方向の大きさが２１０．００ｍｍである。
【００５７】
図４Ａに示すように、用紙Ｓの４隅には、調整用画像としてのトンボ画像２５が形成されている。例えば、右上隅のトンボ画像２５ａは、ＦＤ方向の用紙先端エッジから３．０ｍｍ、ＣＤ方向の用紙先端エッジＲから３．０ｍｍ離れた位置に形成されている。このときのＣＤ方向の用紙先端エッジからトンボ画像２５までの距離理想値Ｄは、３．０ｍｍである。
【００５８】
図４Ｂは、第１用紙検知部である給紙装置６０の検知センサ１９が、誤って用紙のＣＤ方向のサイズを２０８．０ｍｍと検知した場合の説明図である。なお、誤って検知した用紙サイズ（読み取り領域）を網掛けで示している。
このように、実際には、用紙のサイズを実際のサイズよりも小さく検知してしまう場合が起こりうる。なお、ユーザーが、操作部１４０を介して、用紙サイズを２０８．０ｍｍと誤って入力した場合も同様である。
【００５９】
この場合、画像読取部２０で読み取ったトンボ画像２５ａと、誤って検知されたＣＤ方向の用紙先端エッジＲ１との距離値Ｄ１は、１．０ｍｍとなる。このように、用紙のサイズを実際のサイズよりも小さく検知した場合は、画像読取部２０の読み取り結果として、ＣＤ方向の用紙先端エッジＲ１からトンボ画像２５までの距離値Ｄ１が距離理想値Ｄよりも小さくなる。この結果、制御部１００は、用紙に形成される画像が大きすぎると判定し、画像を小さくする方向へ倍率調整を行うよう画像調整制御部４０に誤った指令を出してしまうおそれがある。
【００６０】
図５は、調整用画像のトンボ画像が形成された用紙の全体図である。
本例で使用する用紙のサイズは、用紙のＦＤ方向の大きさが２９７．０ｍｍ、用紙のＣＤ方向の大きさが２１０．００ｍｍである。
【００６１】
図５Ａに示すように、用紙Ｓの４隅には、調整用画像としてのトンボ画像２５が形成されている。例えば、右上隅のトンボ画像２５ａは、ＦＤ方向の用紙先端エッジから３．０ｍｍ、ＣＤ方向の用紙先端エッジＲから３．０ｍｍ離れた位置に形成されている。このときのＣＤ方向の用紙先端エッジＲからトンボ画像２５までの距離理想値Ｄは、３．０ｍｍである。
【００６２】
図５Ｂは、例えば、ユーザーが、操作部１４０を介して、用紙サイズを２００．０ｍｍと誤って設定した場合の説明図である。なお、誤って設定した用紙サイズ（読み取り領域）を網掛けで示している。
このように、実際には、用紙のサイズを実際のサイズよりも極端に小さく設定してしまう場合が起こりうる。
【００６３】
このように、用紙のサイズを実際のサイズよりも極端に小さく設定した場合は、トンボ画像２５が読み取り領域の外側に位置してしまうため、画像読取部２０は、ＣＤ方向の用紙先端エッジＲ１側のトンボ画像２５ａ、２５ｂを読み取ることができない。このため、読み取り結果として読み取りエラーが発生する。
【００６４】
つぎに、本例の画像読取部２０で用紙のサイズを読み取る動作について説明する
図６は、画像読取装置の読み取り領域Ｒ２と用紙との位置関係を示す図である。なお、画像読取部２０の読み取り領域Ｒ２は、網掛けで表示されている。
本例の説明で使用する用紙のサイズは、用紙のＦＤ方向の大きさが２９７．０ｍｍ、用紙のＣＤ方向の大きさが２１０．００ｍｍである。
【００６５】
図６Ａに示すように、本例で使用する画像読取部２０の読み取り領域Ｒ２は、搬送される用紙の大きさに対して、用紙のＦＤ方向及び用紙のＣＤ方向に所定領域を加えた大きさに設定されている。すなわち、読み取り領域Ｒ２は、用紙のＦＤ方向における用紙先端エッジＳ１及び用紙後端エッジＳ２、用紙のＣＤ方向における用紙先端エッジＳ３及び用紙後端エッジＳ４が含まれるように設定されている。従って、画像読取部２０のＣＣＤラインセンサのＣＤ方向の長さは、少なくとも搬送される用紙の幅に所定領域を加えた長さで構成されていればよい。画像読取部２０は、ＣＣＤラインセンサにより、用紙の主方向（ＦＤ方向）及び副方向（ＣＤ方向）の長さを読み取って、用紙のサイズを決定する。
【００６６】
図６Ｂは、用紙が搬送路１３を通る途中で、何らかの理由によりＦＤ方向に対して傾いた状態を示す図である。
このように傾いた状態の用紙であっても、図６Ｂに示すように、用紙のＦＤ方向における用紙先端エッジＳ１及び用紙後端エッジＳ２、用紙のＣＤ方向における用紙先端エッジＳ３及び用紙後端エッジＳ４は、画像読取部２０の読み取り領域Ｒ２に含まれている。従って、本例の画像読取部２０によれば、用紙Ｓが傾いた状態であって、用紙のＦＤ方向の大きさが２９７．０ｍｍ、用紙のＣＤ方向の大きさが２１０．００ｍｍであることを正確に検知することができる。
【００６７】
図７は、本例の画像形成装置１が、画像読取部２０で読み取った読み取り結果に基づいて画像調整処理を行う際の流れを示すフローチャートである。
【００６８】
まず、第１用紙検知部である給紙装置６０の検知センサ１９により、給紙装置６０に収納されている用紙を検知して、おおまかに用紙のサイズ（sizeａ）を決定する（ステップＳ１０）。つぎに、給紙装置６０の給紙ローラ２１により、搬送路１３に用紙を給紙する（ステップＳ１１）。
【００６９】
つぎに、第２用紙検知部である画像読取部２０により、搬送路１３を通って搬送されてくる用紙を検知して、用紙のサイズ（sizeＡ）を決定する（ステップＳ１２）。つぎに、制御部１００は、画像読取部２０で決定した用紙のサイズ（sizeＡ）に基づいて、画像調整制御部４０により必要な用紙の画像調整処理を実施させる（ステップＳ１３）。なお、画像読取部２０で決定した用紙サイズは、表のサイズと裏のサイズに分けて記憶部としての不揮発メモリ１１５に保存するようにしてもよい。
【００７０】
本例の画像形成装置１によれば、画像読取部２０で読み取った正確な用紙のサイズ（sizeＡ）に基づいて画像調整処理を実施することができる。
【００７１】
図８は、画像読取部２０で読み取った調整用画像の読み取り結果に基づいて、他の画像調整処理を行う際の流れを示すフローチャートである。
【００７２】
まず、給紙装置６０の検知センサ１９により、給紙装置６０に収納されている用紙を検知して、おおまかに用紙のサイズ（sizeａ）を決定する（ステップＳ２０）。つぎに、給紙装置６０の給紙ローラ２１から第１の用紙である１枚目の用紙１を搬送路１３に給紙する（ステップＳ２１）。つぎに、第２用紙検知部である画像読取部２０により、搬送されてくる用紙を検知して、用紙のサイズ（sizeＡ）を決定する（ステップＳ２２）。なお、Ｓ２０において用紙のサイズ（sizeａ）を決定する際は、給紙装置６０の大容量給紙トレイの収納容積に基づいて、用紙のサイズ（sizeａ）を決定するようにしてもよい。
【００７３】
つぎに、給紙装置６０の給紙ローラ２１から第２の用紙である２枚目の用紙２を搬送路１３に給紙する（ステップＳ２３）。つぎに、用紙２に対して、画像形成部１１により調整用画像としてのトンボ画像を印字する（ステップＳ２４）。
【００７４】
つぎに、画像読取部２０で用紙２に印字されたトンボ画像を読み取り、制御部１００は、用紙端部とトンボ画像との距離値を算出し、算出した距離値と不揮発メモリ１１５に保存されている所定の距離理想値との比較を行って画像調整値を算出する（ステップＳ２５）。
【００７５】
本例のステップＳ２５を、具体的に説明すると、Ｓ２５において、例えば、用紙端部とトンボ画像との距離値Ｄ１（図３参照）が３．１ｍｍと算出された場合には、３．０ｍｍの距離理想値と比較して、画像調整値が＋１．０ｍｍと算出される。この場合は、搬送経路の途中において、何らかの原因により画像が小さく形成される異常が生じていると考えられる。このため、制御部１００は、画像調整制御部４０による画像調整処理として、画像が大きくなる倍率調整を実施する。同様に、Ｓ２５において、例えば、用紙端部とトンボ画像との距離値Ｄ１（図４参照）が２．９ｍｍと算出された場合には、３．０ｍｍの距離理想値と比較して、画像調整値が-１．０ｍｍと算出される。この場合は、搬送経路の途中において、何らかの原因により画像が大きく形成される異常が生じていると考えられる。このため、制御部１００は、画像調整制御部４０による画像調整処理として、画像が小さくなる倍率調整を実施する。
【００７６】
本例の画像形成装置１によれば、画像読取部２０で読み取った用紙のサイズ（sizeＡ）に基づいて用紙端部とトンボ画像との距離値を算出するので、正確な距離値を用いて精度の高い画像調整処理を実施することができる。
【００７７】
なお、１枚目の用紙１にトンボ画像を印字して、画像読取部２０のＣＣＤラインセンサのワンラインを解析することにより、用紙のサイズを検出すると同時に用紙端部とトンボ画像との距離値を算出するようにしてもよい。
【００７８】
図９は、画像読取部２０で読み取った調整用画像の読み取り結果に基づいて、他の画像調整処理を行う際の流れを示すフローチャートである。
【００７９】
まず、給紙装置６０の検知センサ１９により、給紙装置６０に収納されている用紙を検知して、おおまかに用紙のサイズ（sizeａ）を決定する（ステップＳ３０）。つぎに、給紙装置６０の給紙ローラ２１から用紙１を搬送路１３に給紙する（ステップＳ３１）。つぎに、給紙された用紙１に対して、画像形成部１１により調整用画像としてのトンボ画像を印字する（ステップＳ３２）。
【００８０】
つぎに、第２用紙検知部である画像読取部２０により、搬送路１３を搬送されてくる用紙１に基づいて、用紙のサイズ（sizeＡ）を決定する（ステップＳ３３）。
このとき、画像読取部２０で用紙のサイズ（sizeＡ）を読み取りながら、検知センサ１９で決定された用紙のサイズ（sizeａ）との差分を算出する。これと同時に、用紙２に印字されたトンボ画像を読み取り、用紙端部とトンボ画像との距離値を算出する。
【００８１】
つぎに、制御部１００は、Ｓ３３で算出された用紙のサイズ（sizeＡ）と（sizeａ）との差分に基づいて、不揮発メモリ１１５に保存されている距離理想値の更新を行い、新たな距離理想値を算出する。そして、この新たな距離理想値とＳ３３で算出された用紙端部とトンボ画像との距離値との比較を行い、画像調整値を算出する（ステップＳ３４）。
【００８２】
本例のステップＳ３４を図４の例を用いて具体的に説明すると、Ｓ３１においては、検知センサ１９により、用紙のサイズ（sizeａ）が２０８．０ｍｍに決定される。また、Ｓ３３においては、第２用紙検知部である画像読取部２０により、用紙のサイズが（sizeＡ）２１０．０ｍｍにされるので、（sizeＡ）と（sizeａ）との差分は２．０ｍｍと算出される。従って、Ｓ３４において、更新される新たな距離理想値は３．０ｍｍ-２．０ｍｍ＝１．０ｍｍに更新される。
【００８３】
例えば、Ｓ３３で、用紙端部とトンボ画像との距離値Ｄ１が１．５ｍｍと算出された場合には、新たに更新された距離理想値（１．０ｍｍ）と比較して、画像調整値が＋０．５ｍｍと算出される。この場合、搬送経路の途中において、何らかの原因により画像が小さく形成される異常が生じていると考えられるため、制御部１００は、画像調整制御部４０の画像調整処理として、画像が大きくなる倍率調整を実施する。同様に、Ｓ３３において、例えば、用紙端部とトンボ画像との距離値Ｄ１が０．５ｍｍと算出された場合には、新たに更新された距離理想値（１．０ｍｍ）と比較して、画像調整値が-０．５ｍｍと算出される。この場合は、搬送経路の途中において、何らかの原因により画像が大きく形成される異常が生じていると考えられるため、制御部１００は、画像調整制御部４０の画像調整処理として、画像が小さくなる倍率調整を実施する。
【００８４】
本例の画像形成装置１によれば、画像読取部２０で読み取った用紙のサイズ（sizeＡ）に基づいて新たな理想距離値を設定することにより、用紙を２回給紙させることなく画像調整処理を実施することができる。
【００８５】
図１０は、本例の画像形成装置１でプリント処理を実施する際のフローチャートである。
まず、プリントジョブを実施する前に、制御部１００は、画像調整制御部４０により、画像読取部２０で決定した用紙のサイズ（sizeＡ）に基づいて、必要な用紙の画像調整処理を実施する（ステップＳ４０）。このとき、指示されたプリントジョブの中に、異なる種類の用紙を使用するジョブが含まれている場合には、異なる種類の用紙が収納されている給紙トレイ毎にＳ４０の画像調整処理を実施する。
【００８６】
プリントジョブに含まれている全ての種類の用紙について、Ｓ４０の画像調整処理を実施した後、制御部１００は、プリンター部１５０によるプリントジョブを実行する（ステップＳ４１）。
【００８７】
図１１は、本例の画像形成装置１でプリント処理を実施する際のフローチャートである。
まず、プリントジョブの開始が指示されると、制御部１００により、プリントジョブに使用される用紙が、給紙トレイにセットした用紙の中で初めて使用される用紙であるか否かが判定される（ステップＳ５０）。
【００８８】
プリントジョブに使用される用紙が、給紙トレイにセットした用紙の中で初めて使用される用紙であると判定された場合には（ステップＳ５０のＹＥＳ）、画像調整制御部４０により、画像読取部２０で決定した用紙のサイズ（sizeＡ）に基づいて、用紙についての画像調整処理を実施する（ステップＳ５１）。Ｓ５１で画像調整処理を実施した後、プリンター部１５０により、プリントジョブのジョブ本身を構成する枚数分のプリントを実施する（ステップＳ５２）。
【００８９】
プリントジョブに使用される用紙が、給紙トレイにセットした用紙の中で初めて使用される用紙でないと判定された場合には（ステップＳ５０のＮＯ）、プリントする用紙についての画像調整処理は終了しているので、Ｓ５２において、プリントジョブのジョブ本身を構成する枚数分のプリント処理を実施する。
【００９０】
本例では、給紙トレイに新たに用紙をセットした場合には、用紙について画像調整処理を実施することにより、プリントの品質を保つことができる。
【００９１】
以上、本例に係る画像形成装置１について説明したが、本発明は上述した実施形態に限定されることなく、特許請求の範囲に記載した発明の要旨を逸脱しない範囲内で種々の変形実施が可能である。
【００９２】
また、本例において、用紙としては、パルプを主たる原料として製造される記録媒体のみならず、画像形成装置により画像を形成することができる記録媒体を広く含むものである。
【００９３】
なお、本例の画像読取部２０を備えた画像読取装置は、Ｉｍａｇｅ  Ｃａｌｉｂｒａｔｉｏｎ  Ｃｏｎｔｒｏｌ  Ｕｎｉｔ（ＩＣＣＵ）と称されることがあるが、画像読取装置がＩＣＣＵに限定されるものではない。
【符号の説明】
【００９４】
１・・・画像形成装置、３・・・ネットワーク、４・・・外部機器、１０・・・装置本体、１１・・・画像形成部、１２・・・本体給紙部、１３・・・搬送路、１９・・・検知センサ（第１用紙検知部）、２０・・・画像読取部（第２用紙検知部）、２１・・・給紙ローラ（給紙部）、２５・・・調整用画像（トンボ画像）、４０・・・画像調整制御部、５０・・・後処理装置、１００・・・制御部、１１５・・・不揮発メモリ（記憶部）、１４０・・・操作部
【図１】
2020185670.tif 000003
【図２】
2020185670.tif 000004
【図３】
2020185670.tif 000005
【図４】
2020185670.tif 000006
【図５】
2020185670.tif 000007
【図６】
2020185670.tif 000008
【図７】
2020185670.tif 000009
【図８】
2020185670.tif 000010
【図９】
2020185670.tif 000011
【図１０】
2020185670.tif 000012
【図１１】
2020185670.tif 000013